(57)【要約】【課題】所定の周期内（例えば、３０分内）での需要の変化が激しい場合でも電力の抑制効果が大きい電力貯蔵機器の制御方法、電力貯蔵機器制御装置及び電力貯蔵機器制御装置を有する電力貯蔵システムを提供する。【解決手段】制御装置３０で実行される負荷５０に電力を供給する電力貯蔵機器２０の制御方法は、周期内の所定の時刻において、当該周期の開始時から所定の時刻までに負荷５０で受電された受電電力から算出される需要実績と、予測値に基づいて算出される所定の時刻から当該周期の終了時までに負荷５０で使用されると予測される電力との合計である推定需要を算出するステップと、当該周期における推定需要が目標値を上回るときに、推定需要と目標値との差を、所定の時刻から当該周期の終了時までの電力貯蔵機器の予定放電量に設定するステップと、を有する。【選択図】図１
2020072525.tif 000002
【特許請求の範囲】
【請求項１】
所定の周期毎に、各々の周期において負荷で使用される電力の予測値、及び系統から受電する電力の目標値を取得して、負荷に電力を供給する電力貯蔵機器の作動を制御する電力貯蔵機器の制御方法であって、
前記周期内の所定の時刻において、
当該周期の開始時から前記所定の時刻までに前記負荷で受電された受電電力から算出される需要実績と、前記予測値に基づいて算出される前記所定の時刻から当該周期の終了時までに前記負荷で使用されると予測される電力との合計である推定需要を算出するステップと、
当該周期における前記推定需要が前記目標値を上回るときに、前記推定需要と前記目標値との差を、前記所定の時刻から当該周期の終了時までの前記電力貯蔵機器の予定放電量に設定するステップと、
を有する電力貯蔵機器の制御方法。
【請求項２】
前記予定放電量に設定するステップは、
前記所定の時刻が、前記周期の開始時から所定の時間経過しており、
前記推定需要が当該周期の開始時から前記所定の時刻までの受電電力を上回り、且つ
前記受電電力が前記目標値を上回るときに、
前記電力貯蔵機器の最大放電電力量を、前記所定の時刻から当該周期の終了時までの前記電力貯蔵機器の予定放電量に設定する
請求項１に記載の電力貯蔵機器の制御方法。
【請求項３】
前記予定放電量に設定するステップは、
前記推定需要と前記目標値との差及び前記電力貯蔵機器の最大放電電力量より、前記電力貯蔵機器の電池残量が小さいときは、前記電池残量を、前記所定の時刻から当該周期の終了時までの前記電力貯蔵機器の予定放電量に設定する
請求項１または２に記載の電力貯蔵機器の制御方法。
【請求項４】
前記周期より短い所定の時間間隔で、前記推定需要を算出するステップと、前記予定放電量に設定するステップと、を繰り返し実行する
請求項１〜３のいずれか一項に記載の電力貯蔵機器の制御方法
【請求項５】
請求項１〜４のいずれか一項に記載の電力貯蔵機器の制御方法が実装され、電力貯蔵機器の作動を制御する電力貯蔵機器制御装置。
【請求項６】
負荷に電力を供給する電力貯蔵機器と、
前記電力貯蔵機器の作動を制御する請求項５に記載の電力貯蔵機器制御装置と、
を有する電力貯蔵システム。
【発明の詳細な説明】
【技術分野】
【０００１】
本発明は、電力貯蔵機器の制御方法、電力貯蔵機器制御装置及び電力貯蔵システムに関する。
【背景技術】
【０００２】
電力需要家内に設置する電力貯蔵システムの設置目的にはいくつかあるが、その一つに電気料金の削減が挙げられる。具体的には、貯めた電気を高需要時に放電することで、最大電力抑制による契約電力減、すなわち電気料金の基本料金の削減が図られる。電力貯蔵システムは、一般に、実際に電力を充電・放電する電力貯蔵機器と、その充放電を制御する電力貯蔵機器制御装置からなる。電力貯蔵機器制御装置が充放電量を決定するにあたっては、将来の高需要時に放電するために電力を温存する必要がある一方、最大電力を抑制するために、高需要時に適切な量を放電したり、最大電力を更新しない範囲で適時に充電して後の放電に備えたりするなど、充放電の適切なコントロールが重要である。そのため、従来は電力需要（負荷で使用された電力）を監視し、電力需要が契約電力を超えた分を放電するように制御し、結果として受電電力を契約電力以内とするような種々の制御装置が開発されてきた（例えば、特許文献１参照）。
【先行技術文献】
【特許文献】
【０００３】
【特許文献１】特開２０１６−１１６４０１号公報
【発明の概要】
【発明が解決しようとする課題】
【０００４】
近年普及している契約電力を実量制（過去１年間の最大需要電力が契約電力）とする契約では、３０分を１周期として３０分毎の需要を積算し、３０分値としての電力を用いて最大需要電力を算出する。しかし、実際の需要は刻一刻と変化しており、電力貯蔵機器の充放電制御を行う場合には、瞬時瞬時の需要変化にとらわれず、３０分値としての電力値を抑制することが必要である。しかしながら、従来の制御技術では、このような制御を行うことは困難であり、また、瞬時の需要が高頻度で上下する場合などは、高頻度の充放電が必要になるため、電力貯蔵機器の寿命の短命化につながるという課題があった。
【０００５】
本発明はこのような課題に鑑みてなされたものであり、所定の周期内（例えば、３０分内）での需要の変化が激しい場合でも電力の抑制効果が大きい電力貯蔵機器の制御方法、この電力貯蔵機器の制御方法が実装された電力貯蔵機器制御装置、及び、この電力貯蔵機器制御装置を有する電力貯蔵システムを提供することを目的とする。
【課題を解決するための手段】
【０００６】
前記課題を解決するために、本発明に係る電力貯蔵機器の制御方法は、所定の周期毎に、各々の周期において負荷で使用される電力の予測値、及び系統から受電する電力の目標値を取得して、負荷に電力を供給する電力貯蔵機器の作動を制御する電力貯蔵機器の制御方法であって、前記周期内の所定の時刻において、当該周期の開始時から前記所定の時刻までに前記負荷で受電された受電電力から算出される需要実績と、前記予測値に基づいて算出される前記所定の時刻から当該周期の終了時までに前記負荷で使用されると予測される電力との合計である推定需要を算出するステップと、当該周期における前記推定需要が前記目標値を上回るときに、前記推定需要と前記目標値との差を、前記所定の時刻から当該周期の終了時までの前記電力貯蔵機器の予定放電量に設定するステップと、を有する。
【０００７】
また、このような本発明に係る電力貯蔵機器の制御方法において、前記予定放電量に設定するステップは、前記所定の時刻が、前記周期の開始時から所定の時間経過しており、前記推定需要が当該周期の開始時から前記所定の時刻までの受電電力を上回り、且つ前記受電電力が前記目標値を上回るときに、前記電力貯蔵機器の最大放電電力量を、前記所定の時刻から当該周期の終了時までの前記電力貯蔵機器の予定放電量に設定することが好ましい。
【０００８】
また、このような本発明に係る電力貯蔵機器の制御方法において、前記予定放電量に設定するステップは、前記推定需要と前記目標値との差及び前記電力貯蔵機器の最大放電電力量より、前記電力貯蔵機器の電池残量が小さいときは、前記電池残量を、前記所定の時刻から当該周期の終了時までの前記電力貯蔵機器の予定放電量に設定することが好ましい。
【０００９】
また、このような本発明に係る電力貯蔵機器の制御方法は、前記周期より短い所定の時間間隔で、前記推定需要を算出するステップと、前記予定放電量に設定するステップと、を繰り返し実行することが好ましい。
【００１０】
また、本発明に係る電力貯蔵機器制御装置は、上述した電力貯蔵機器の制御方法が実装され、電力貯蔵機器の作動を制御する。
【００１１】
また、本発明に係る電力貯蔵システムは、負荷に電力を供給する電力貯蔵機器と、前記電力貯蔵機器の作動を制御する上述した電力貯蔵機器制御装置と、を有する。
【発明の効果】
【００１２】
本発明を以上のように構成すると、所定の周期内（例えば、３０分内）での需要の変化が激しい場合でも電力の抑制効果が大きい電力貯蔵機器の制御方法、この電力貯蔵機器の制御方法が実装された電力貯蔵機器制御装置、及び、この電力貯蔵機器制御装置を有する電力貯蔵システムを提供することができる。
【図面の簡単な説明】
【００１３】
【図１】電力貯蔵システムの構成を示すブロック図である。
【図２】充放電量決定処理を説明するための説明図である。
【図３】充放電量決定処理の流れを示すフローチャートである。
【図４】予定充放電量計算処理の前段の流れを示すフローチャートである。
【図５】予定充放電量計算処理の後段の流れを示すフローチャートである。
【図６】充放電量決定処理により電力貯蔵機器が運転されたとき（放電のみが実行されたとき）の結果を示すグラフである。
【図７】充放電量決定処理により電力貯蔵機器が運転されたとき（充放電が実行されたとき）の結果を示すグラフである。
【発明を実施するための形態】
【００１４】
以下、本発明の好ましい実施形態について図面を参照して説明する。まず、図１を用いて本発明に係る電力貯蔵機器の制御方法が実装された電力貯蔵機器制御装置（以下、単に「制御装置」と呼ぶ）を有する電力貯蔵システムの構成について説明する。この電力貯蔵システム１０は、二次電池等で構成される電力貯蔵機器２０と、この電力貯蔵機器２０の運転状態を制御する制御装置３０とから構成されている。電力貯蔵機器２０は、制御装置３０からの指令信号に応じて、系統４０から電力供給を受けて電力を蓄える（充電する）か、若しくは、蓄えられた電力を負荷５０に供給する（放電する）ように構成されている。
【００１５】
制御装置３０は、電力貯蔵機器２０を制御するためのデータ等を記憶する記憶部３２と、記憶部３２に記憶されたデータに基づいて電力貯蔵機器２０の充放電量を決定する処理部３１と、を有して構成されている。なお、処理部３１はコンピュータのＣＰＵ等で構成され、記憶部３２はハードディスク等で構成される。また、この処理部３１で実行される主な機能としては、負荷５０で使用される電力（現在の需要）を計測し、所定の周期（例えば３０分）毎に、各々の周期内での使用電力（例えば、当該周期内の使用電力の平均値や、当該周期内で使用された電力量）を記憶部３２に履歴情報として記憶する処理と、記憶部３２に記憶された負荷５０の使用電力の履歴情報（上述した、例えば３０分ごとの値）から、需要予測を行って電力貯蔵機器２０の充放電量を決定する処理と、を有している。
【００１６】
ここで、記憶部３２に記憶される履歴情報には、負荷５０により使用された電力（又は電力量）だけでなく、この負荷５０で過去において（例えば、現在の月内で）使用された電力の最大値（以下、「既往最大電力」と呼ぶ）も記憶される。また、記憶部３２には、系統４０から受電する電力の目標値（上述した契約電力）も記憶される。また、需要予測は、制御装置３０において別の処理として実行されてもよいし、ネットワークを介して外部の装置で実行してもよい。
【００１７】
それでは、制御装置３０の処理部３１で実行される電力貯蔵機器２０の充放電量を決定する処理（以下、「充放電量決定処理」と呼ぶ）について図２〜図５を用いて説明する。
【００１８】
図２に示すように、この充放電量決定処理において制御装置３０は、所定の周期をさらに所定の時間間隔で分割し、所定の時間間隔毎に、次の時間間隔における電力貯蔵機器２０の充放電量を決定するように構成されている。また、制御装置３０は、所定の周期毎に決定される予測電力Ｐｅ（当該周期において負荷５０で使用される電力）、目標値Ｐｔ及び最大既往電力Ｐｍａｘを、周期の開始時に取得し、また、所定の時間間隔毎に、当該周期内において負荷５０で使用された電力の実績値（以下、「受電電力Ｐａ」と呼ぶ）を取得して、次の時間間隔における電力貯蔵機器２０の充放電量を決定する。なお、以降の説明においては、所定の周期Ｔを３０分とし、所定の時間間隔ΔＴを１分として説明するが、本発明がこれらの値に限定されることはなく、周期Ｔ及び時間間隔ΔＴは、任意の値に設定できる。なお、図３〜図５のフローチャートに示す処理は、Ｔ＝３０分、ΔＴ＝１分の場合を示している。
【００１９】
図３は、充放電量決定処理の流れを示しており、制御装置３０は、この充放電量決定処理を、上述した所定の時間間隔ΔＴ（ここでは、１分とする）毎に実行する。なお、所定の周期Ｔにおいて所定の時間間隔ΔＴで充放電量決定処理を実行すると、周期Ｔ内において実行される充放電量決定処理の回数Ｎは、以下に示す式（１）となる。なお、ＲＯＵＮＤＵＰは、引数（計算結果）の小数点以下を切り上げる関数である。
【００２０】
Ｎ  ＝  ＲＯＵＮＤＵＰ（Ｔ／ΔＴ）                          （１）
【００２１】
上述したように、周期Ｔ＝３０分、時間間隔ΔＴ＝１分とすると、充放電量決定処理の回数Ｎ＝３０となる。また、充放電量決定処理で、所定の周期Ｔ内において、この充放電量決定処理が実行される回数を管理する変数をｉ（ｉは整数）とすると、変数ｉの範囲は０〜Ｎ−１（Ｎ＝３０のときは０〜２９）となる。
【００２２】
図３に示すように、制御装置３０の処理部３１は、現在の実行回数ｉが、現在の周期の最後の実行であるＮ−１（２９）であるか否かを判断する（ステップＳ１００）。本実施形態に係る充放電量決定処理においては、周期の最初の実行であるｉ＝０と最後の実行であるｉ＝Ｎ−１（２９）では、電力貯蔵機器２０の充放電を実行しないように構成されている。そのため、処理部３１が、現在の実行回数ｉがＮ−１（２９）であると判断すると（ステップＳ１００：Ｙｅｓ）、処理部３１は、電力貯蔵機器２０の充放電状態を示すフラグＦに、充放電しないことを示す０を設定し（ステップＳ１１０）、さらにｉに０を設定して（ステップＳ１２０）、充放電量決定処理を終了する。
【００２３】
また、処理部３１が、現在の実行回数ｉがＮ−１（２９）でないと判断すると（ステップＳ１００：Ｎｏ）、処理部３１は、現在の実行回数ｉが０であるか否かを判断する（ステップＳ１３０）。処理部３１が、現在の実行回数ｉが０であると判断すると（ステップＳ１３０：Ｙｅｓ）、処理部３１は、記憶部３２から、現在の周期に対する予測電力Ｐｅ［ｋＷ］及び目標値Ｐｔ［ｋＷ］と、これまでの既往最大電力Ｐｍａｘ［ｋＷ］とを取得し（ステップＳ１４０）、フラグＦに充放電しないことを示す０を設定し（ステップＳ１５０）、実行回数ｉに１を加算し（ステップＳ１８０）、充放電量決定処理を終了する。
【００２４】
また、処理部３１が、現在の実行回数ｉが０でないと判断すると（ステップＳ１３０：Ｎｏ）、処理部３１は、記憶部３２から、現時点の電力貯蔵機器２０の電池残量Ｄｐｉ［ｋＷｈ］、及び、現在の周期において、現在の実行回数ｉまでの受電電力Ｐａ［ｋＷ］を取得し（ステップＳ１６０）、予定充放電量計算処理を実行する（ステップＳ１７０）。
【００２５】
図４に示すように、処理部３１は、予定充放電量計算処理Ｓ１７０を実行すると、まず、現時点での最新のデータ（受電電力Ｐａｉや電池残量Ｄｐｉ）が取得できているか否かを判断する（ステップＳ１７０１）。処理部３１が、最新のデータが取得できていないと判断した場合（ステップＳ１７０１：Ｎｏ）、図５に示すように、処理部３１は、フラグＦに充放電しないことを示す０を設定し（ステップＳ１７１９）、予定充放電量計算処理Ｓ１７０を終了する。
【００２６】
図４に戻って、処理部３１が、最新データが取得できていると判断した場合（ステップＳ１７０１：Ｙｅｓ）、処理部３１は、現在の周期の開始から現在の実行回数ｉまでに、負荷５０で実際に使用された電力量である需要実績ΔＰｉ［ｋＷｈ］を算出する（ステップＳ１７０２）。ここで、実行回数ｉにおける需要実績ΔＰｉは、図２において現在の周期の最初（ｉ＝０）からｉにおいて、系統４０から受電した電力である受電電力Ｐａから算出される電力量である。
【００２７】
また、処理部３１は、ステップＳ１７０２で算出された現在の周期の開始から現在の実行回数ｉまでの需要実績ΔＰｉと、予測電力Ｐｅから算出される現在の実行回数ｉから現在周期の終了までに使用されると推定される電力量とを用いて、以下に示す式（２）に基づいて、実行回数ｉにおいて推定された、現在の周期における推定需要Ｑｉを算出する（ステップＳ１７０３）。
【００２８】
Ｑｉ  ＝  ΔＰｉ＋Ｐｅ×（Ｎ−ｉ）／６０                    （２）
【００２９】
上述したように、周期Ｔが３０分である場合は、式（２）においてＮ＝３０となる。また、予測電力Ｐｅから算出される現在の実行回数ｉから現在の周期の終了までに使用されると推定される電力量の計算において、６０で割っているのは、周期Ｔに対する電力量を１時間の電力量（ｋＷｈ）に変換するためである。
【００３０】
−予定放電量の決定−
次に、処理部３１は、以下に示す条件（ｉ）〜（ｉｉｉ）を全て満たしているか否かを判断する（ステップＳ１７０４）。
【００３１】
条件（ｉ）は、現在の周期Ｔにおいて、周期Ｔの開始から所定の時間が経過している（所定の実行回数の充放電量決定処理が実行されている）ことである。また、条件（ｉｉ）は、以下に示す条件式（３）の関係を満たしていることであり、条件（ｉｉｉ）は、以下に示す条件式（４）の関係を満たしていることである。
【００３２】
（ΔＰｉ／ｉ）×６０  ＞  Ｑｉ×（６０／３０）              （３）
（ΔＰｉ／ｉ）×６０  ＞  Ｐｔ                              （４）
【００３３】
条件式（３）は、現在の周期の開始から実行回数ｉまでの需要実績ΔＰｉから算出される電力（実績値である受電電力Ｐａの平均値［ｋＷ］）が推定需要電力量Ｑｉから算出される電力（３０分の電力量を電力［ｋＷ］に変換した値）を上回っていることを示しており、条件式（４）は、実績値である受電電力Ｐａの平均値［ｋＷ］が目標値Ｐｔ［ｋＷ］を上回っていることを示している。
【００３４】
処理部３１が、上述した条件（ｉ）〜（ｉｉｉ）を全て満たしていると判断した場合（ステップＳ１７０４：Ｙｅｓ）、処理部３１は、以下に示す式（５）に基づいて、時刻ｉ＋１〜ｉ＋２における電力貯蔵機器２０の予定放電量Ｄｄｉ［ｋＷｈ］を決定し（ステップＳ１７０５）、フラグＦに放電することを示す１を設定し（ステップＳ１７０６）、予定充放電量計算処理Ｓ１７０を終了する。なお、ＭＩＮは、引数の中の最小値を選択する関数である。また、Ｄｄｍａｘは電力貯蔵機器２０の最大放電電力量であり、Ｄｐｉは実行回数ｉにおける電池残量である。
【００３５】
Ｄｄｉ  ＝  ＭＩＮ（Ｄｄｍａｘ／６０，  Ｄｐｉ／ΔＴ）        （５）
【００３６】
式（５）は、上述した所定の条件、すなわち、（ｉ）周期Ｔの開始から所定の時刻が経過しており（所定の実行回数の充放電量決定処理が実行されており）、（ｉｉ）需要実績（受電電力）が推定需要を上回り、（ｉｉｉ）需要実績が目標値を上回るときは、予定放電量Ｄｐｉを、電力貯蔵機器２０の最大放電電力量（電力貯蔵機器２０が１分間に放電できる電力量の最大値Ｄｄｍａｘ）にすることを示している。但し、１分間に放電できる最大放電電力量Ｄｄｍａｘよりも１分間に放電できる電池残量（Ｄｐｉ／ΔＴ）が小さいときは、予定放電量Ｄｐｉは電池残量となる（電池残量Ｄｐｉを時間間隔ΔＴにおいて均等に放電する）。
【００３７】
後述するように、本実施形態にかかる制御装置３０は、負荷５０の受電電力に対し、系統４０から受電する電力が契約電力を超えないように、電力貯蔵機器２０の放電量を決定するため、負荷５０の受電電力が予測電力を下回ったときは、電力貯蔵機器２０に蓄電されている電力が余ってしまい、十分に活用できない場合がある。そのため、上述した条件（ｉ）〜（ｉｉｉ）を満足するときは、電力貯蔵機器２０の最大放電電力で放電することにより、最大限のピーク電力抑制に寄与することができる。
【００３８】
一方、処理部３１が、上述した条件（ｉ）〜（ｉｉｉ）の少なくとも１つを満たしていないと判断した場合（ステップＳ１７０４：Ｎｏ）、処理部３１は、現在の周期の需要実績Ｑｉ［ｋＷｈ］をＱｉ×６０／Ｔで電力［ｋＷ］に換算した値（Ｔ＝３０分のときはＱｉ×６０／３０＝Ｑｉ×２となる）が目標値Ｐｔ［ｋＷ］を上回っているか否かを判断する（ステップＳ１７０７）。
【００３９】
処理部３１が、需要実績Ｑｉ×２［ｋＷ］が目標値Ｐｔ［ｋＷ］を上回っていると判断した場合（ステップＳ１７０７：Ｙｅｓ）、処理部３１は、以下に示す式（６）に基づいて、実行回数ｉ＋１〜ｉ＋２における電力貯蔵機器２０の１分間あたりの予定放電量Ｄｄｉ［ｋＷｈ］を決定し（ステップＳ１７０８）、フラグＦに放電することを示す１を設定し（ステップＳ１７０９）、予定充放電量計算処理Ｓ１７０を終了する。なお、上述したように、Ｔ＝３０分、ΔＴ＝１分のときは、Ｎ＝３０となる。また、上述したように、Ｔ＝３０分のときは、Ｑｉ×６０／Ｔ＝Ｑｉ×２となる。
【００４０】
Ｄｄｉ  ＝  ＭＩＮ（
Ｄｄｍａｘ／６０，
（Ｑｉ×６０／Ｔ−Ｐｔ）×（Ｔ／６０）／（Ｎ−（ｉ＋１）），
Ｄｐｉ／ΔＴ）                                （６）
【００４１】
式（６）は、推定需要が目標値を上回る場合に、系統４０からの受電電力Ｐａを目標値Ｐｔ以下にするために、電力貯蔵機器２０の電池残量を加味して放電量を決定することを示している。すなわち、現在の周期Ｔ（例えば３０分コマ）の需要が推定需要と一致した場合に、当初の目標値以内に系統４０からの受電電力を抑制するために必要な放電量を、「現在の周期の残り時間（ΔＴ×（Ｎ−（ｉ＋１））分」で放電するために必要な放電量として求める。なお、算出された放電量が電力貯蔵機器２０の最大放電電力量Ｄｄｍａｘを超える場合は、予定放電量Ｄｄｉを１分当たりの最大放電電力量Ｄｄｍａｘとし、また、算出された放電量が電池残量Ｄｐｉを超える場合は、予定放電量Ｄｄｉを電池残量Ｄｐｉを時刻間隔ΔＴで均等に放電するように設定する。
【００４２】
−予定充電量の決定−
また、処理部３１が、電力に換算された需要実績（Ｑｉ×６０／Ｔ）が目標値Ｐｔを上回っていないと判断した場合（ステップＳ１７０７：Ｎｏ）、図５に示すように、処理部３１は、需要実績Ｑｉ×２が目標値Ｐｔを下回っているか否かを判断する（ステップＳ１７１０）。処理部３１が、需要実績Ｑｉ×２が目標値Ｐｔを下回っていると判断した場合（ステップＳ１７１０：Ｙｅｓ）、処理部３１は、以下に示す式（７）に基づいて、時刻ｉ＋１〜ｉ＋２における電力貯蔵機器２０の予定充電量Ｄｃｉ［ｋＷｈ］を算出する（ステップＳ１７１１）。但し、Ｄｃｍａｘは電力貯蔵機器２０の最大充電電力量［ｋＷｈ］であり、Ｄｐｍａｘは電力貯蔵機器２０の最大電池容量［ｋＷｈ］である。
【００４３】
Ｄｃｉ  ＝  ＭＩＮ（
Ｄｃｍａｘ／６０，
（Ｐｔ−Ｑｉ×６０／Ｔ）／６０，
（Ｄｐｍａｘ−Ｄｐｉ）／ΔＴ））              （７）
【００４４】
処理部３１は、推定需要が目標値を下回る場合は、電力貯蔵機器２０を充電するか否かを判断し、式（７）は１分間当りの予定充電量Ｄｃｉを示している。すなわち、目標値Ｐｔ［ｋＷ］と推定需要Ｑｉを電力［ｋＷ］に変換した値（Ｑｉ×６０／Ｔ）との差の１分間当りの値（６０分で割った値）を予定充電量Ｄｃｉとする。ただし、目標値と推定需要との差が電力貯蔵機器２０の最大充電電力量Ｄｃｍａｘを超えた場合には、１分当りの最大充電電力量Ｄｃｍａｘを予定充電量Ｄｃｉとし、目標値と推定需要との差より電力貯蔵機器２０を、現在の電池残量Ｄｐｉから最大電池容量Ｄｐｍａｘまで充電するために必要な１分当りの電力量（（Ｄｐｍａｘ−Ｄｐｉ）／ΔＴ）の方が小さいときは、この電力量（（Ｄｐｍａｘ−Ｄｐ）／ΔＴ）を予定充電量Ｄｃｉとする。
【００４５】
次に、処理部３１は、現在の周期の開始から実行回数ｉまでの、平均の需要実績ΔＰｉ／ｉ［ｋＷｈ］を電力［ｋＷ］に変換した値（（ΔＰｉ／ｉ）×６０）が既往最大電力Ｐｍａｘを上回っているか否かを判断する（ステップＳ１７１２）。処理部３１が、需要実績が既往最大電力を上回っていると判断した場合（ステップＳ１７１２：Ｙｅｓ）、推定需要が目標値を下回っていても、フラグＦに充電しないことを示す０を設定し（ステップＳ１７１３）、予定充放電量計算処理Ｓ１７０を終了する。
【００４６】
処理部３１が、需要実績が既往最大電力を上回っていないと判断した場合（ステップＳ１７１２：Ｎｏ）、処理部３１は、推定需要ＱｉとステップＳ１７１１で算出した予定受電量Ｄｃｉとの合計［ｋＷｈ］を電力［ｋＷ］に換算した値（（Ｑｉ＋Ｄｐｉ）×６０／Ｔであって、Ｔ＝３０分の場合は（Ｑｉ＋Ｄｃｉ）×２）が最大既往電力Ｐｍａｘを上回るか否かを判断する（ステップＳ１７１４）。また、処理部３１が、推定需要と予定受電量との合計（電力に換算した値）が最大既往電力を上回っていると判断した場合（ステップＳ１７１４：Ｙｅｓ）、処理部３１は、さらに、推定需要Ｑｉ［ｋＷｈ］を電力［ｋＷ］に変換した値（Ｑｉ×６０／Ｔ）が最大既往電力Ｐｍａｘを上回るか否かを判断する（ステップＳ１７１５）。
【００４７】
処理部３１が、推定需要が最大既往電力を上回っていると判断した場合（ステップＳ１７１５：Ｙｅｓ）、推定需要が目標値を下回っていても、フラグＦに充電しないことを示す０を設定し（ステップＳ１７１６）、予定充放電量計算処理Ｓ１７０を終了する。また、処理部３１が、推定需要が最大既往電力を上回っていないと判断した場合（ステップＳ１７１５：Ｎｏ）、１分間当りの予定充電量Ｄｃｉを、以下に示す式（８）の値に書き換え（ステップＳ１７１７）、フラグＦに充電することを示す２を設定し（ステップＳ１７１８）、予定充放電量計算処理Ｓ１７０を終了する。
【００４８】
Ｄｃｉ  ＝  （Ｐｍａｘ／（６０／Ｔ）−Ｑｉ）／ΔＴ          （８）
【００４９】
式（８）は、現在の周期における、最大既往電力に対応する電力量と推定需要との差を時間間隔ΔＴにおいて１分毎に均等に分けた値を予定充電量Ｄｃｉとするものである。
【００５０】
一方、処理部３１が、推定需要と予定受電量との合計（電力に換算した値）が最大既往電力を上回っていないと判断した場合（ステップＳ１７１４：Ｎｏ）、ステップＳ１７１１で算出した予定充電量Ｄｃｉを変更せず、処理部３１は、フラグＦに充電することを示す２を設定し（ステップＳ１７１８）、予定充放電量計算処理Ｓ１７０を終了する。また、処理部３１が、需要実績（Ｑｉ×６０／Ｔ）が目標値Ｐｔを下回っていないと判断した場合（ステップＳ１７１０：Ｎｏ）、需要実績と目標値が一致しているため、処理部３１は、フラグＦに充放電しないことを示す０を設定し（ステップＳ１７１９）、予定充放電量計算処理Ｓ１７０を終了する。
【００５１】
図３に戻り、処理部３１は、ステップＳ１７０の予定充放電量計算処理を終了すると、現在の実行回数ｉに１を加算し（ステップＳ１８０）、充放電量決定処理を終了する。なお、処理部３１で実行回数ｉにおいて決定された予定放電量Ｄｄｉ又は予定充電量Ｄｃｉは、フラグＦに応じて、実行回数ｉ＋１〜ｉ＋２の間のΔＴ分の電力貯蔵機器２０の制御に適用される（電力貯蔵機器２０に対し、予定放電量Ｄｄｉ又は予定充電量Ｄｃｉで指定された１分当たりの放電量又は充電量でΔＴの間の放電又は充電が実行される）。
【００５２】
図６及び図７は、上述した充放電量決定処理により電力貯蔵機器２０を制御した結果を示している。なお、この図６及び図７の制御は、Ｔ＝３０分、ΔＴ＝１分とした場合である。図６は、１４時から１４時３０分の１周期の制御結果を示しているが、この時間帯は、負荷５０で使用される電力が大きく、系統４０からの受電電力を低くするために、電力貯蔵機器２０からの放電のみが実行されている。また、図７は、１４時３０分から１５時の１周期の制御結果を示しているが、この時間帯は、負荷５０で使用される電力が図６の場合に比べて少なくなっている。そのため、電力貯蔵機器２０からの放電だけでなく、負荷５０で使用される電力に対して系統４０からの受電電力に余裕があるときに、電力貯蔵機器２０に対する充電も行われている。
【００５３】
本実施形態で説明した充放電量決定処理は、従来の一日の需要予測（日負荷曲線）を基に電力貯蔵機器２０の充放電を制御するのではなく、あるインターバル（例えば、ΔＴ＝１分）で推定需要Ｑｉを算出することにより逐次先の需要予測を繰り返し、この需要予測と最大電力を計算する基礎となる周期（例えばＴ＝３０分）内での需要実績と組み合わせることで、電力貯蔵機器２０の充放電を制御してる。そのため、図６及び図７から明らかなように、本実施形態で説明した充放電量決定処理を行うことにより、瞬時の需要変化にとらわれずに電力貯蔵機器２０の充放電を制御することができ、最大電力の抑制量を最大化することに近づけることができ、また、いたずらに充放電を繰り返すことなく、適切な充放電回数に抑制することができる。
【００５４】
なお、上述したような電力貯蔵機器２０の充放電の制御では、負荷５０の使用電力の増加に対応できるように、電力貯蔵機器２０からの放電が抑えられ、放電しなさすぎることによる電力貯蔵機器２０の最大限利用を妨げる可能性があるが、既往の最大電力を超過しないことに配慮しつつ、ある一定の条件下（上述した条件（ｉ）〜（ｉｉｉ）の下）では、電力貯蔵機器２０を最大限放電する機能を付加することにより、最大限のピーク電力抑制に寄与することができる。
【符号の説明】
【００５５】
１０  電力貯蔵システム
２０  電力貯蔵機器
３０  電力貯蔵機器制御装置（制御装置）
４０  系統
５０  負荷
【図１】
2020072525.tif 000003
【図２】
2020072525.tif 000004
【図３】
2020072525.tif 000005
【図４】
2020072525.tif 000006
【図５】
2020072525.tif 000007
【図６】
2020072525.tif 000008
【図７】
2020072525.tif 000009